(57)【要約】  【課題】  主液体の容器に対して、飲食直前までこの主液体への添加物などを主液体から分離しておく装置であって、運搬時や使用時の事故的な開封が防止されるタイプの添加物分離式容器を提供する。  【解決手段】  容器キャップと一体的に形成された筒状副容器１２０１を有している。副容器１２０１は容器キャップと共に主容器頚部に取り外し式に搭載される。副容器１２０１は中空であり、フラップ蓋１２１６でカバーされており、近端には環状フランジ１２０４を具えている。環状フランジ１２０４は容器キャップのフランジ１２１０に接続されている。副容器の中空内部は１つ、または複数の縦方向あるいは横断重なり方向に小収容部を有しており、それぞれ異なる添加物を収容させる。あるいはカプセルや商品を収容させることもできる。  【選択図】  図１２Ａ 
2004203491.tif 000002
【特許請求の範囲】
【請求項１】
主容器頚部と螺合する取り外し可能な容器キャップを利用する主容器の内容物とは分離して添加物を保存する装置であって、
前記主容器頚部に取り外し可能に装着された略円筒状副容器を含んでいると共にこの副容器はこの副容器の底部に向けたテーパーに形成され、
該副容器は蓋フラップ（１２１６）でカバーされる中空収容部（１２１３）を有しており、その近端には環状フランジ（１２０４）が提供されており、該環状フランジは前記容器キャップの対応フランジ（１２１０）と連結しており、前記蓋フラップは前記容器キャップに一体的で且つこの容器キャップの縁部にヒンジ式に接続され、該容器キャップは内ネジ山を有しており、前記主容器頚部の外ネジ山と螺合することを特徴とする装置。
【請求項２】
環状フランジは蓋フラップで閉じられる開口の内方に設けられると共に前記環状フランジの開口がシールで密閉されたことを特徴とする請求項１記載の装置。
【請求項３】
主容器頚部と螺合する取り外し可能な容器キャップを利用する主容器の内容物とは分離して添加物を保存する装置であって、
前記主容器頚部に取り外し可能に装着された略円筒状副容器を含んでいると共にこの副容器はこの副容器の底部に向けたテーパーに形成され、
該副容器はシールでカバーされる中空収容部を有しており、その近端には環状フランジが提供されており、該環状フランジは前記容器キャップの対応フランジと連結しており、該容器キャップは内ネジ山を有しており、前記主容器頚部の外ネジ山と螺合することを特徴とする装置。
【請求項４】
中空収納部はその全体が主容器頚部の内方に収納されることを特徴とする請求項１〜３いずれか記載の装置。
【請求項５】
副容器の中空収容部内にパッケージユニットを有することを特徴とする請求項１〜３いずれか記載の装置。
【請求項６】
パッケージユニットは複数の小収納部を有することを特徴とする請求項５記載の装置。
【請求項７】
中空収容部は非添加物を収容することを特徴とする請求項１〜６いずれか記載の装置。
【請求項８】
副容器の中空収容部内に袋状部材を有することを特徴とする請求項１〜４いずれか記載の装置。
【発明の詳細な説明】
【技術分野】
【０００１】
本願発明は使用時にまで液体食品製品の添加物を分離状態に維持する装置に関し、特には、標準型飲料ボトルあるいは飲料缶での利用を目的とした改良装置に関する。
【背景技術】
【０００２】
液体食料、特に飲料の保存において、消費直前まで主液体から添加物を分離して保存できれば食品製品はその風味を保ち、保存性が向上し、保存剤を使用せずに済み、保存性に劣る材料でも容易に使用することができる。例えば飲料は、風味料が乾燥状態で保たれ、飲用直前に主液体と混合されれば美味しさを格段に向上させることができる。風味料、オイル、ビタミン、補填材、薬剤、及び他の添加材は、水、ソーダあるいは他の液体と混合されると不安定になるため、現在の飲料や液体混成物には使用されていないことがある。酸素処理水は健康に良いとされてはいるが化学的に活性であり、風味料、ビタミン、補助材、及び薬剤を組み合わせて保存させることは不都合である。多くの飲料、ソース及び調味料や薬味は糖分での発酵を制御するために高濃度の保存剤を必要とする。
【発明の開示】
【発明が解決しようとする課題】
【０００３】
飲食直前まで主液体から添加物を分離しておく従来装置は存在するが、いくつかの弱点を有している。例えば、米国特許第３７７９３７２号、第５５２９１７９号、第５４３１２７６号、及び第５８８５６３５号の装置は容器の蓋あるいはキャップの下側に切開式包装体を搭載しており、切開手段によって包装体を切開して内容物を主液体と混合するものであった。しかし、これらの装置は使用の安全性に問題があったり切開作業が面倒であった。排出時に中身が噴出して容器からこぼれたり、使用者の服装を汚すこともあった。
【０００４】
例えば、米国特許第３１７９２７５号、第３２２５９１５号、または第５０６４０７３号の装置は、外側の帯体、フラップまたは膜体を剥ぎ取って中身を出す構造の添加物収容部を容器内に有している。しかし、これらの装置は現在の自動販売機には向かない。なぜなら、外側シール部材が不都合に剥がれたり、輸送時に破損することがあるからである。
【０００５】
例えば、米国特許第４０２４９５２号、第４２２１２９１号及び第４２６４００７号の装置は容器の蓋やキャップの外側から引き出したり押し込むタイプの収容部を蓋やキャップの裏側に有している。これらの装置はユーザーの好みに合わせて添加物の分量を調整できない弱点を有している。
【０００６】
例えば、米国特許第５１１４０１１号の装置は使用直前まで容器キャップでカバーされた容器頚部に提供されたシール付きの取り外し収容体を有している。このタイプの装置はシールが剥離された後に内容物の分量を容易に調整する手段が提供されていない。
【０００７】
例えば、米国特許第５１１４０１１号の装置は容器のキャップの裏側に複数の小収容部で成る副容器を具えている。しかし、これら小収容部は副容器の両端に提供されており、糸要素で開かれるものであるため、製造が困難であってコスト高となり、使用が面倒である。
【課題を解決するための手段】
【０００８】
本願発明はこれら従来装置の弱点と問題点とを克服する添加物分離式容器を提供するものである。すなわち、低製造コストで、利用が容易で、運搬時や使用時の事故的な開封が防止されるタイプの添加物分離式容器を提供する。
【０００９】
本願発明の第１１実施例の装置は、容器キャップと一体的に形成された筒状副容器を有している。副容器は容器キャップと共に主容器頚部に取り外し式に搭載される。副容器は中空であり、フラップ蓋でカバーされており、近端には環状フランジを具えている。環状フランジは容器キャップのフランジに接続されている。容器キャップには内ネジ山が提供されており、主容器頚部の外ネジ山と螺合する。副容器の中空内部は１つ、または複数の縦方向あるいは横断重なり方向に小収容部を有しており、それぞれ異なる添加物を収容させる。あるいはカプセルや商品を収容させることもできる。
【発明の効果】
【００１０】
本願発明のこれら改良装置によって、複数の添加内容物が主液体から分離状態で保存され、ユーザーの好みに合わせて選択的に利用させることができる。よって、風味や味を向上させる多様な食品製品の提供が可能となり、保存期間が長くなり、不安定な添加物の使用が可能となり、保存料の使用も原則的に不要となる。
【００１１】
本願発明の他の目的、特徴及び利点を図面を利用して以下でさらに詳細に解説する。
【発明を実施するための最良の形態】
【００１２】
なお以下に、本願の原出願の出願当初の明細書に記載された実施例をそのまま記載しておく。
【００１３】
これら実施例に係る発明の基本目的は、図１Ａと図１Ｂに図示したような従来技術装置の弱点を克服することである。図１Ａの液体１００を収容したボトルは頚部１０aを具えた主容器１０と、トップ部１２とスカート１３とを具えたキャップ１１とを含んでいる。キャップ１１は頚部１０aの外ネジ山１５とキャップ１１の内ネジ山１４との螺係で主容器１０を保持密封する。副容器１６は、接着剤層１９によってキャップ１１の内側１２aに固定された蓋部１６bに内ネジ山２０aを介して保持された、乾燥添加物１７を収容した本体容器部１６aを有している。キャップ１１が主容器１０から取り外されると、副容器１６の本体容器部１６aは蓋部１６aから緩められ、その中身は液体１００内に排出される。図１Ｂに図示される別ボトルにおいては、副容器１６はキャップ１１の襟部２３に懸垂されており、ネジ式に解放される本体収容部１６aと蓋部１６bとを有している。このタイプの従来装置は製造コストが高く、使用に不便である。
【００１４】
この発明の主要な問題解決法によれば、容器内で別々に副材料あるいは添加物を保存する装置は、飲料ボトルに普通である容器キャップによって保持される副容器を具えている。副容器は変形させることができる外壁と分離壁とを有している。分離壁は添加物を主容器内に排出させるそれぞれの専用排出口を具えた複数の分離小収容部を副容器内に形成している。各小収容部は個別に開放することができ、中身は外壁の所定部分を押圧することで主容器内に排出される。この特徴を具えた４つの実施例を後述する。
【００１５】
別の主要解決法によれば、装置は複数の副収容器または複数の小収容部を有した１体の小型副容器を有している。副容器は飲料缶に通常に利用される固定型容器蓋の裏側に提供された凹部状の井戸型収容部に収納されている。副容器は容器蓋のプルトップによって保持されている。プルタブが引き外され、タブ開口部が露出すると副容器は取り外され、別々の中身が主容器内に投入される。この特徴を具えた２つの実施例を後述する。
【００１６】
図２Ａと図２Ｂに図示する第１実施例の装置は円筒状の副容器本体２０１を有している。その近端（キャップ側）２０１aは容器キャップ２１０の下側に搭載されている。副容器本体２０１は変形可能なプラスチック壁２０２と、副容器本体の軸ＡＸと平行な１体の分割壁２０３とを有している。分割壁２０３は副容器本体の内側を２つの縦長小収容部２０４、２０５に分割している。さらに多くの分割壁を提供してさらに多くの小収容部を提供することもできる。
【００１７】
小収容部２０４、２０５は使用時に主容器内の液体に制御下で混合される風味料、オイル、ビタミン、補助材、医薬剤、および他の添加物を個別に収容する。各小収容部はそれぞれ専用の排出口２０４a、２０５aを副容器本体の先端（主容器内部側）２０１bに有している。個々の小収容部の専用排出口は接着フォイルタブ２０４c、２０５cでシールされている。副容器２０１の先端はプルタブが付いた接着フィルム２０６でシールされており、専用排出口をカバーするフォイルタブ２０４c、２０５cを保護している。
【００１８】
図２Ｂと図２Ｃに図示するように、それぞれの小収容部に対応する外側筒状壁２０２の所定部分２０４bと２０５bは薄い肉厚の壁で形成されている。薄壁領域は図２Ｆに示すように、それぞれの部屋の中身の添加物を押し出し易くしており、専用排出口と共にそれぞれの部屋の中身を制御状態で主容器内に排出する。
【００１９】
図２Ｄ、図２Ｅに図示するように、副容器本体２０１はその近端でキャップ２１０の下側に搭載されている。この実施例では、副容器本体は窪部２０７を有しており、キャップ２１０は対応する突起部２１１を有している。この突起部と窪部とは副容器本体をキャップにスナップ式に係合させる。この構造でキャップと副容器本体とは別々に成型でき、ユーザーに副容器本体をキャップからの取り外させ、キャップを再閉鎖させるオプションを与える。キャップ２１０は主容器の頚部の外ネジ山に螺合するネジ山２１０aを有している。専用排出口２０４a、２０５aは別々のフォイルタブ２０４c、２０５cでシールされている。専用排出口の環状エッジにはこぼれ防止用の凹部２１２が提供でき、小収容部への押圧力を緩めても液体が滴下しないようになっている。
【００２０】
副容器本体は透明ポリ塩化ビニル（ＰＣＶ）、ポリプロピレン（ＰＰ）、または他の耐久性でフレキシブルなプラスチック材料で提供できる。典型的な壁厚は約０.５０ｍｍ程度であり、薄い壁部分は約０.２０ｍｍである。副容器本体の寸法はキャップのサイズや望む添加物量による。典型的な３５ｍｍ径のキャップに対しては副容器本体は約２２ｍｍの径を有している。専用排出口は好適には約３ｍｍ ｘ ５ｍｍの楕円形である。
【００２１】
図３Ａ、図３Ｂ及び図３Ｃに図示するように、第２実施例の装置は円筒状副容器本体３０１を有している。その近端はキャップの下側の突起部３１１にスナップフィットする窪部３０７によって容器キャップ３１０の裏側に取り外し式に搭載される。副容器本体３０１は押し出し用プラスチック壁３０２を有している。分割壁３０３は副容器本体３０１の内部を小収容部３０４と３０５に分割している。小収容部３０４と３０５はそれぞれの専用排出口３０４aと３０５bを有している。図３Ｄに図示するように、専用排出口は引き剥し式タブ３０４cと３０５cでシールされており、こぼれ防止エッジ３１２を有している。この実施例では専用排出口は近端に提供されており、よって主容器の液体からは離れており、主液体によるシール内への浸潤が防止できる。
【００２２】
図４Ａ、図４Ｂ、図４Ｃに図示する第３実施例の装置は第１実施例の装置に類似しており、変形可能なプラスチック壁４０２を有した円筒状副容器本体４０１を有している。また、分割壁４０３、小収容部４０４、４０５、先端の専用排出口４０４a、４０５a、薄壁の押圧部分４０４b、４０５bを有している。図４Ｄに図示する副容器本体４０１は、容器キャップ４１０を利用して主容器頚部に保持される副容器の襟部４１３を有している。容器キャップが主容器頚部から外されると、副容器本体４０１は持ち上げられ、専用排出口４０４a、４０５aからシールが剥ぎ取られ、小収容部のそれぞれの中身が主容器内に投入される。図４Ｅの専用排出口４０４a、４０５aは個々のシールタブ４０４c、４０５cでシールされており、こぼれ防止エッジ４１２及び外側シールフィルム４０６がさらに提供されている。
【００２３】
副容器本体４０１は主容器頚部の開口部に容易にフィットする直径を有しており、副容器の襟部は容器キャップ内にフィットし、頚部の上側リムに係留して固定される直径を有している。襟部は高密度ポリエチレンのごとき硬質プラスチック製が好適である。
【００２４】
図５Ａ、図５Ｂ、図５ｃの第４実施例の装置は、近端５０１aが容器キャップ５１０の下側に搭載された円筒状副容器本体５０１を有している。副容器本体は押し出し用プラスチック壁５０２で形成されており、筒軸ＡＸを横断する分割壁５０２、５０３を有しており、副容器本体の内部を複数の上下重合小収容部５０４、５０５、５０６に分割している。小収容部はそれぞれ専用排出口５０４a、５０５a、５０６aを有している。
【００２５】
図５Ｄの副容器本体５０１は窪部５０７を有している。窪部５０７には容器キャップの内側の突起部５１１がスナップフィットしており、副容器を容器キャップに搭載させている。専用排出口により外壁は波状壁部分５０４d、５０５d、５０５dが提供される。波状壁部分は押圧力による専用排出口から中身の排出を制御する。図５Ｅでは専用排出口５０４a、５０５a、５０６aがそれぞれこぼれ防止エッジ５１２を有して図示されている。図５Ｅ、図５Ｆ、図５Ｇは別個の剥ぎ取りシール５０４c、５０５c、５０６cでシールされた専用排出口を図示している。
【００２６】
３小収容部を利用した本実施例の副容器本体は、典型的な寸法である約２０ｍｍ径（専用排出口周囲の波状壁領域を除く）、４５ｍｍ長であり、各小収容部は約４.７ｃｃの容量である。副容器本体にはいかなる数の分離小収容部が提供されてもよい。例えば、アイスコーヒー飲料の場合には、４小収容部が適当であり、コーヒー風味、クリーム、砂糖及び剛性甘味料をそれぞれ別個に収容することができる。
【００２７】
第５実施例の装置は図６Ａ、図６Ｂ及び図６Ｃに図示されており、飲料缶のごとき固定容器蓋６０１を有した容器６１０に使用される。容器蓋６０１には、プル部分６０２a、タブ部分６０２b、及び容器蓋の外側の中央に引き抜き式に取り付けられた中央金具６０２cを有したプルタブ６０２が取り付けられている。容器蓋に形成されたタブ開口部はプルタブのタブ部分６０２bによってカバーされている。複数の井戸型収容部６０４、６０５はプルタブ６０２から放射状に離れて提供されており、容器蓋６０１の内側に凹部状に提供されている。
【００２８】
井戸型収容部はそれぞれ形状がマッチした副容器６０４a、６０５aを収容する。副容器の上面は容器蓋と同一面である。図６Ｄはシール要素６０４bでシールされた専用排出口６０４cを有した副容器５０４a（５０５a）を図示している。副容器が井戸型収容部内に収容されてカバーされると、プルタブ６０２の一部で保持される。プルタブが容器蓋から引き剥がされると、副容器はそれぞれの井戸型収容部から取り出し可能になる。
【００２９】
副容器は押し出し可能なプラスチック壁で形成されている。約６０ｍｍ径の缶蓋を有した典型的な飲料缶においては、井戸型収容部は約１５ｍｍの幅と約２５ｍｍの長さであり、プルタブの中央位置から放射方向に約８ｍｍ離れており、８ｍｍから１２ｍｍの深さで、約３.７ｃｃから４.０ｃｃの容量を提供する。井戸型収容部の内壁の深さを変えて容量を多様に提供することができる。図示のごとく井戸型収容部の壁部をプルタブの中央位置方向に斜めに提供することができ、副容器をプルタブ方向に押し付けて使用中に井戸型収容部から外れることを防止することもできる。
【００３０】
主容器蓋には井戸型収容部がプレス加工される。タブ部分はタブ開口部にて刻加工されたタブ部分を具え、蓋の中央にリベットされたプル部分を具えている。蓋は液体を収容した主容器にクリンプ固定されている。副容器が井戸型収容部に挿入されると、プル部分はその元来部分に戻され、井戸型収容部の開口部にオーバーラップされ、副容器を保持して保護する。保護紙、プラスチックまたは不織布基材を容器蓋の上とプル部分の下に提供することもできる（広告や吸収面として利用可）。
【００３１】
図７Ａ、図７Ｂ及び図７Ｃに図示する第６実施例の装置は飲料缶用であり、容器７１０の容器蓋７０１に凹状の井戸型収容部７０３が提供されている。プルタブ７０２はプル部分７０２a、タブ部分７０２b、及び引き抜き式の中央金具７０２cを有している。プルタブ７０２のプル部分７０２aは井戸型収容部７０３の開口部と部分的に重なり、タブ部分７０２bは容器蓋でタブ開口部７０２b'をシールする。
【００３２】
図７Ｄ、図７Ｅ、図７Ｆ、図７Ｇに図示するように、マッチする形状の副容器７０４は井戸型収容部７０３内に投入される。その上面は容器蓋７０１と平坦に提供される。前述のように副容器は押し出し用外壁と、少なくとも１体の分割壁７０８とを有しており、小収容部７０５、７０６が提供されている。小収容部はそれぞれの専用排出口７０５a、７０６aを有している。専用排出口はシールタブ７０５c、７０６cでシールされている。
【００３３】
図７Ｈに図示するように、プルタブが取り去られると、副容器７０４は井戸型収容部７０３からタブ７０４aを引くことで抜き出される。シールタブ７０５c、７０６cを引き剥し、小収容部の外壁を矢印方向に押圧することで小収容部の中身は主容器内に排出される。副容器に薄壁部分を提供して押し出し易くすることができる。井戸型収容部を外側に傾斜させて副容器の取り出しを容易にすることができる。蓋部が６０ｍｍ径程度の典型的な飲料缶の場合には、井戸型収容部は約７ｍｍプルタブの中央部から放射状に離れ、その上部で約２４ｍｍ径を有し、１０ｍｍから４０ｍｍの深さを有する。井戸型収容部に副容器を挿入する作業は前述と同様である。
【００３４】
図８Ａと図８Ｂは第７実施例の装置を図示する。この装置は円筒状の副容器本体８０１を有している。副容器の近端８０１aは中央開口部８０７にまで延びる傾斜壁８０３を有している。好適には、容器キャップ８１０は傾斜壁８１１aとトップ８１１bとを具えた補助部分８１１を具えている。副容器は近端８０１aの傾斜壁に隣接して外周に環状フランジ８０４を有している。副容器は容器キャップによってカバーされる主容器頚部に搭載される。溶着ポリエチレンシールフィルム８０５で容器キャップと環状フランジ８０４を溶着させることで容器キャップの下側に副容器を搭載することもできる。あるいは、副容器は主容器頚部にその先端８０１bから挿入することもできる。環状フランジ８０４は主容器頚部の上部リムに置かれ、主容器頚部の外ネジ山に螺合された容器キャップ８１０にて保持される。シールフィルム８０６は環状フランジ８０４の下部に提供され、フランジと主容器頚部８０２のリムとの間でシール材として作用する。
【００３５】
近端８０１aの開口部８０７は開口部のエッジに接着剤で接着されたフォイル８０７aでシールされている。副容器８０１が主容器頚部から取り外されると、シールフォイル８０７aはプルタブにより剥ぎ取り可能となり、突起形状の近端８０１aは、図８Ｂに図示するように主容器頚部の上部リムに環状フランジ８０４が接するまで傾斜壁８０３によってガイドされて主容器内に挿入できる。これら傾斜壁の作用はユーザーに２傾斜壁部分を係合させているという積極的な心理感覚を提供する。例えば、近端の開口部は環状フランジの上方約７ｍｍに提供されており、充分に副容器を保持させ、激しく振ることができる。副容器の中身の排出後には副容器は廃棄される。容器キャップは主容器頚部に装着され、中身の液体の保存が可能である。
【００３６】
突起形状の近端の提供で副容器８０１内に収容されている添加物はこぼれることなく主容器内に入れられる。このこぼれ防止対策のために粘性が高い添加物や粉末でも副容器内に収容できる。
【００３７】
図９Ａと図９Ｂは第８実施例の装置を図示する。副容器９０１は環状フランジ９０４、近端９０１aの傾斜壁９１１b、及び筒軸に平行な分割壁９１３を含んでいる。分割壁９１３は副容器内を複数の小収容部（９１３a、９１３b）に分割する。各小収容部は専用排出口９０７、９０８を有している。各専用排出口は接着フォイルで別々にシールされている。副容器は容器キャップの下側に溶着させることもできる。または、キャップと主容器頚部との間で環状フランジに保持させることができる。
【００３８】
突起部９１１を具えた容器キャップ９１０は主容器頚部９０２から取り外され、副容器９０１は容器キャップの下側から取り出される。または主容器頚部から取り出される。接着フォイルは望む小収容部の専用排出口から剥ぎ取られ、突起状近端９０１aは主容器頚部に挿入される。
【００３９】
図１０Ａと図１０Ｂは第９実施例の装置を図示する。これは１体の小収容部を有した副容器１００１の別バージョンであり、環状フランジ１００４と、近端１００１aの外面の外ネジ山１００５とを有している。さらに接着フォイル１００７aでシールされた開口部１００７が提供されている。副容器本体は主容器頚部に環状フランジ１００４で取り外し式に搭載されており、容器キャップ１０１０の下側から突起する環状窪部１０１１と主容器頚部１００２の上部リムとの間に保持されている。シールフィルム１００４aは環状フランジの上下面に適用される。容器キャップ１０１０はそれぞれ外側ネジ山１００２aと係合する内ネジ山１０１０aによって主容器頚部に固定される。副容器本体の近端１００１aのネジ山１００５は環状フランジ１００４の上方の外面に形成されており、主容器頚部の開口部の内側に提供された内ネジ山と螺合する。
【００４０】
容器キャップ１０１０が主容器頚部から緩められ、副容器１００１が取り外されると、シールフォイル１００７aは開口部１００７から剥ぎ取られ、副容器の近端１００１aは環状フランジ１００４が図１０Ｂに図示するように主容器頚部の上部リムと接するまで主容器頚部に挿入されてネジ山同士が螺合される。主容器頚部のリムのフランジ１００４の圧力で頑丈なシール状態が提供される。
【００４１】
図１１Ａと図１１Ｂは第１０実施例の装置を図示する。この装置の副容器本体１１０１はフランジ１１０４、近端１１０１aの外ネジ山１１０５、及び円筒軸に平行な分割壁１１０３を有している。分割壁は副容器内部を複数の軸方向の小収容部１１０３a、１１０３bに分割している。各小収容部はそれぞれの専用排出口１１０７、１１０８を有している。各専用排出口は接着フォイルでシールされている。
【００４２】
容器キャップ１１１０が主容器頚部１１０２から外され、副容器本体１１０１が取り出されると、シールフォイルは望む小収容部から剥ぎ取られる。副容器本体は上下逆にされ、近端１１０１aが主容器頚部内に差し込まれて螺合され、頑丈なシール状態が提供される。主液体と添加物とは主容器を上下に振ることで攪拌される。
【００４３】
図１２Ａから図１２Ｄには、本願発明に係る第１１実施例の装置が図示されている。本例の副容器本体１２０１は容器キャップ１２００と一体的に形成されている。副容器本体は、容器キャップ１２０１の環状フランジ１２１０に接続する近端に形成された環状フランジ１２０４を有している。容器キャップはフランジ１２１０の内面に形成された内ネジ山を有している。これは主容器頚部１２０２の外面に形成された外ネジ山と螺合する。副容器は中空１２１３であり、蓋フラップ１２１６でカバーされた近端に開口部を有している。蓋フラップは容器キャップの縁部にヒンジ式に接続でき、容器キャップ周囲の環状溝とスナップ式に係合するリム１２１６を有している。副容器開口部は接着フォイル１２０７でシールされる。副容器は容器キャップと共に主容器頚部から取り外せる。中空内部に収容されている中身は、蓋フラップを開き、シール１２０７を剥すことで主容器頚部内に排出できる。副容器はヒンジ式蓋フラップによって再シールできる。
【００４４】
添加物は副容器の中空内部１２１３に直接的に保存できる。または、図１２Ｃと図１２Ｄに図示するごとく複数の小収容部ユニット１２１８、１２１９のごときパッケージユニットに収容できる。副容器の容積は主容器頚部の開口部の直径と深さとによって変わる。副容器内に玩具等を収容すれば、主容器の栄養ドリンク、薬剤、野菜ジュース等々を子供に飲ませるために利用できる。副容器内にクーポンやくじ等を入れることもできる。
【００４５】
本例の装置をキャップと副容器との一体型とすることもできる。副容器に収容される中身と主容器の中身とは接触しない。これで保存期間が延長され、シール状態を完全に保つことができる。乾燥物を乾燥状態に保つこともできる。
【００４６】
図１３Ａから図１３Ｃは第１２実施例の装置を図示している。この副容器１３０１は環状に提供されており、内側と外側の環状フランジ１３０５、１３０３間に搭載されている。容器キャップ１３００は内ネジ山を具えた内孔部を有している。副容器１３０１は少なくとも１つの小収容部を有している。２つの小収容部１３１３a、１２１３bは分割壁１３１４で提供されており、それぞれ専用排出口１３１５a、１３１５bを有している（図１３Ｃ）。小収容部の数は分割壁の数を増加させることで増加させることができる。シール３０９を主容器頚部の開口部に接着させ、液体の漏出を防止することができる。ステップフランジ１３０７を主容器頚部の外面に提供して、容器キャップの環状フランジ１３０５と係合させることもできる。
【００４７】
このバージョンでは副容器は主容器の液体と接触せずに運搬される。これで保存期間が長くなる。これは水以外の液体に特に適している。円筒状本体と主容器頚部とを有した主容器においては、容器キャップの環状リングのサイズを容器本体の外径と同じとし、全体形状を缶状として自動販売機で便利に販売することができる。
【００４８】
これら改良装置で、複数の添加物を主液体と分離して保存することができ、ユーザーの好みに応じて添加物の添加分量を調整することができる。このような装置の構造は現在の標準技術で提供される。
【００４９】
飲料製品の場合には、例えば、糖分が多いソース及び風味料を小収容部に分散して収容しておき、使用時に使用者の好みに合わせてそれら添加物を飲料内に投入することができる。最後の段階まで両者を分離させておくことで味の格段の向上が望める。さらに、新規分野の製品の開発も望める。
【図面の簡単な説明】
【００５０】
【図１Ａ】この図は、容器キャップに搭載されており、あるいは容器キャップによって主容器頚部上で保持されている、１つ又は２つの小収容部を具えた副容器を有した従来技術の装置の例の図である。
【図１Ｂ】この図は、容器キャップに搭載されており、あるいは容器キャップによって主容器頚部上で保持されている、１つ又は２つの小収容部を具えた副容器を有した従来技術の装置の例の図である。
【図２Ａ】この図は第１実施例の装置を図示しており、押し絞り用のプラスチック円筒状であり、複数の小収容部を内蔵した副容器を有している。
【図２Ｂ】この図は第１実施例の装置を図示しており、押し絞り用のプラスチック円筒状であり、複数の小収容部を内蔵した副容器を有している。
【図２Ｃ】この図は第１実施例の装置を図示しており、押し絞り用のプラスチック円筒状であり、複数の小収容部を内蔵した副容器を有している。
【図２Ｄ】この図は第１実施例の装置を図示しており、押し絞り用のプラスチック円筒状であり、複数の小収容部を内蔵した副容器を有している。
【図２Ｅ】この図は第１実施例の装置を図示しており、押し絞り用のプラスチック円筒状であり、複数の小収容部を内蔵した副容器を有している。
【図２Ｆ】この図は第１実施例の装置を図示しており、押し絞り用のプラスチック円筒状であり、複数の小収容部を内蔵した副容器を有している。
【図３Ａ】この図は、第２実施例の装置を図示しており、容器キャップから取り外すことができる押し絞り用のプラスチック円筒状であり、複数の小収容部を内蔵した副容器を有している。
【図３Ｂ】この図は、第２実施例の装置を図示しており、容器キャップから取り外すことができる押し絞り用のプラスチック円筒状であり、複数の小収容部を内蔵した副容器を有している。
【図３Ｃ】この図は、第２実施例の装置を図示しており、容器キャップから取り外ことができる押し絞り用のプラスチック円筒状であり、複数の小収容部を内蔵した副容器を有している。
【図３Ｄ】この図は、第２実施例の装置を図示しており、容器キャップから取り外すことができる押し絞り用のプラスチック円筒状であり、複数の小収容部を内蔵した副容器を有している。
【図４Ａ】この図は、第３実施例の装置を図示しており、主容器頚部上で容器キャップによって搭載保持されている押し絞り用のプラスチック円筒状であり、複数の小収容部を内蔵した副容器を有している。
【図４Ｂ】この図は、第３実施例の装置を図示しており、主容器頚部上で容器キャップによって搭載保持されている押し絞り用のプラスチック円筒状であり、複数の小収容部を内蔵した副容器を有している。
【図４Ｃ】この図は、第３実施例の装置を図示しており、主容器頚部上で容器キャップによって搭載保持されている押し絞り用のプラスチック円筒状であり、複数の小収容部を内蔵した副容器を有している。
【図４Ｄ】この図は、第３実施例の装置を図示しており、主容器頚部上で容器キャップによって搭載保持されている押し絞り用のプラスチック円筒状であり、複数の小収容部を内蔵した副容器を有している。
【図４Ｅ】この図は、第３実施例の装置を図示しており、主容器頚部上で容器キャップによって搭載保持されている押し絞り用のプラスチック円筒状であり、複数の小収容部を内蔵した副容器を有している。
【図５Ａ】この図は、第４実施例の装置を図示しており、容器キャップに搭載され、上下に重ねてアレンジされた複数の小収容部を内蔵した円筒状の副容器を有している。
【図５Ｂ】この図は、第４実施例の装置を図示しており、容器キャップに搭載され、上下に重ねてアレンジされた複数の小収容部を内蔵した円筒状の副容器を有している。
【図５Ｃ】この図は、第４実施例の装置を図示しており、容器キャップに搭載され、上下に重ねてアレンジされた複数の小収容部を内蔵した円筒状の副容器を有している。
【図５Ｄ】この図は、第４実施例の装置を図示しており、容器キャップに搭載され、上下に重ねてアレンジされた複数の小収容部を内蔵した円筒状の副容器を有している。
【図５Ｅ】この図は、第４実施例の装置を図示しており、容器キャップに搭載され、上下に重ねてアレンジされた複数の小収容部を内蔵した円筒状の副容器を有している。
【図５Ｆ】この図は、第４実施例の装置を図示しており、容器キャップに搭載され、上下に重ねてアレンジされた複数の小収容部を内蔵した円筒状の副容器を有している。
【図５Ｇ】この図は、第４実施例の装置を図示しており、容器キャップに搭載され、上下に重ねてアレンジされた複数の小収容部を内蔵した円筒状の副容器を有している。
【図６Ａ】この図は、第５実施例の装置を図示しており、容器プルタブで保持されており、固定容器蓋の内側に凹部を提供する井戸型収容部に収容され、複数の小収容部を内蔵した副収容器を有している。
【図６Ｂ】この図は、第５実施例の装置を図示しており、容器プルタブで保持されており、固定容器蓋の内側に凹部を提供する井戸型収容部に収容され、複数の小収容部を内蔵した副収容器を有している。
【図６Ｃ】この図は、第５実施例の装置を図示しており、容器プルタブで保持されており、固定容器蓋の内側に凹部を提供する井戸型収容部に収容され、複数の小収容部を内蔵した副収容器を有している。
【図６Ｄ】この図は、第５実施例の装置を図示しており、容器プルタブで保持されており、固定容器蓋の内側に凹部を提供する井戸型収容部に収容され、複数の小収容部を内蔵した副収容器を有している。
【図７Ａ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｂ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｃ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｄ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｅ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｆ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｇ】この図は、第６実施例の装置を図示しており、容器プルタブで保持されており、固定容器蓋の内側に凹部を提供する井戸型収容部に収容され、複数の小収容部を内蔵した副収容器を有している。
【図７Ｈ】この図は、第６実施例の装置を図示しており、容器プルタブで保持されており、固定容器蓋の内側に凹部を提供する井戸型収容部に収容され、複数の小収容部を内蔵した副収容器を有している。
【図８Ａ】この図は、第７実施例の装置を図示しており、主容器頚部に搭載されており、傾斜壁を有した突起形状の近端と環状フランジとを具え、主容器頚部の開口部に搭載される副容器を有している。
【図８Ｂ】この図は、第７実施例の装置を図示しており、主容器頚部に搭載されており、傾斜壁を有した突起形状の近端と環状フランジとを具え、主容器頚部の開口部に搭載される副容器を有している。
【図９Ａ】この図は、第８実施例の装置を図示しており、それぞれシールされた専用排出口を有した複数の小収容部に分割されており、傾斜壁を有した突起形状の近端と、環状フランジとを具え、主容器頚部の開口部に搭載される副容器を有している。
【図９Ｂ】この図は、第８実施例の装置を図示しており、それぞれシールされた専用排出口を有した複数の小収容部に分割されており、傾斜壁を有した突起形状の近端と、環状フランジとを具え、主容器頚部の開口部に搭載される副容器を有している。
【図１０Ａ】この図は、第９実施例の装置を図示しており、近端に主容器頚部に螺合される外ネジ山を具えた副容器を有している。
【図１０Ｂ】この図は、第９実施例の装置を図示しており、近端に主容器頚部に螺合される外ネジ山を具えた副容器を有している。
【図１１Ａ】この図は、第１０実施例の装置を図示しており、それぞれシールされた専用排出口を有した複数の小収容部に分割されており、近端に主容器頚部内に螺合される外ネジ山を具えた副容器を有している。
【図１１Ｂ】この図は、第１０実施例の装置を図示しており、それぞれシールされた専用排出口を有した複数の小収容部に分割されており、近端に主容器頚部内に螺合される外ネジ山を具えた副容器を有している。
【図１２Ａ】この図は、本願発明の第１１実施例の装置を図示しており、容器キャップと一体的に形成された中空の収容部を含んでおり、フラップ蓋を具えた副容器を有している。
【図１２Ｂ】この図は、本願発明の第１１実施例の装置を図示しており、容器キャップと一体的に形成された中空の収容部を含んでおり、フラップ蓋を具えた副容器を有している。
【図１２Ｃ】この図は、本願発明の第１１実施例の装置を図示しており、容器キャップと一体的に形成された中空の収容部を含んでおり、フラップ蓋を具えた副容器を有している。
【図１２Ｄ】この図は、本願発明の第１１実施例の装置を図示しており、容器キャップと一体的に形成された中空の収容部を含んでおり、フラップ蓋を具えた副容器を有している。
【図１３Ａ】この図は、第１２実施例の装置を図示しており、容器キャップの内側と外側のフランジ間に搭載された環状副容器を有している。
【図１３Ｂ】この図は、第１２実施例の装置を図示しており、容器キャップの内側と外側のフランジ間に搭載された環状副容器を有している。
【図１３Ｃ】この図は、第１２実施例の装置を図示しており、容器キャップの内側と外側のフランジ間に搭載された環状副容器を有している。
【図１Ａ】
2004203491.tif 000003
【図１Ｂ】
2004203491.tif 000004
【図２Ａ】
2004203491.tif 000005
【図２Ｂ】
2004203491.tif 000006
【図２Ｃ】
2004203491.tif 000007
【図２Ｄ】
2004203491.tif 000008
【図２Ｅ】
2004203491.tif 000009
【図２Ｆ】
2004203491.tif 000010
【図３Ａ】
2004203491.tif 000011
【図３Ｂ】
2004203491.tif 000012
【図３Ｃ】
2004203491.tif 000013
【図３Ｄ】
2004203491.tif 000014
【図４Ａ】
2004203491.tif 000015
【図４Ｂ】
2004203491.tif 000016
【図４Ｃ】
2004203491.tif 000017
【図４Ｄ】
2004203491.tif 000018
【図４Ｅ】
2004203491.tif 000019
【図５Ａ】
2004203491.tif 000020
【図５Ｂ】
2004203491.tif 000021
【図５Ｃ】
2004203491.tif 000022
【図５Ｄ】
2004203491.tif 000023
【図５Ｅ】
2004203491.tif 000024
【図５Ｆ】
2004203491.tif 000025
【図５Ｇ】
2004203491.tif 000026
【図６Ａ】
2004203491.tif 000027
【図６Ｂ】
2004203491.tif 000028
【図６Ｃ】
2004203491.tif 000029
【図６Ｄ】
2004203491.tif 000030
【図７Ａ】
2004203491.tif 000031
【図７Ｂ】
2004203491.tif 000032
【図７Ｃ】
2004203491.tif 000033
【図７Ｄ】
2004203491.tif 000034
【図７Ｅ】
2004203491.tif 000035
【図７Ｆ】
2004203491.tif 000036
【図７Ｇ】
2004203491.tif 000037
【図７Ｈ】
2004203491.tif 000038
【図８Ａ】
2004203491.tif 000039
【図８Ｂ】
2004203491.tif 000040
【図９Ａ】
2004203491.tif 000041
【図９Ｂ】
2004203491.tif 000042
【図１０Ａ】
2004203491.tif 000043
【図１０Ｂ】
2004203491.tif 000044
【図１１Ａ】
2004203491.tif 000045
【図１１Ｂ】
2004203491.tif 000046
【図１２Ａ】
2004203491.tif 000047
【図１２Ｂ】
2004203491.tif 000048
【図１２Ｃ】
2004203491.tif 000049
【図１２Ｄ】
2004203491.tif 000050
【図１３Ａ】
2004203491.tif 000051
【図１３Ｂ】
2004203491.tif 000052
【図１３Ｃ】
2004203491.tif 000053